(57)【特許請求の範囲】
【請求項１】
燃焼火格子用の火格子ブロック（１０）であって、
前記燃焼火格子内において、互いに連続する複数の火格子ブロックが、階段状に積み重ねて配置され、かつ、前記火格子ブロック同士間の相対移動によって燃焼物が燃焼の間に層を入れ替えられるとともに移送されるように形成されており、
前記火格子ブロック（１０）は鋳造部品として形成されたブロックボディ（１２）を有し、該ブロックボディは上方の壁（１４）を有し、該上方の壁は前記ブロックボディの長手軸Ｌに対して少なくとも部分的に平行に延びる支持面（１６）を形成し、該支持面に沿って前記燃焼物が移送され、かつその送り方向Ｓに見て一番前の端部は端縁（１９）を形成し、該端縁を介して前記支持面（１６）は、前方の壁（２０）によって形成される送り面（２２）内へ下降しており、
前記前方の壁（２０）は、縦断面で見て前記送り面（２２）に対して直角又は斜めに延びる前記燃焼火格子上へ空気を供給するための、少なくとも１つの空気供給開口部（３８）を有し、前記前方の壁（２０）の一番下の領域（３２）内で脚（３４）の形状に形成され、該脚は送り方向Ｓに隣接する前記火格子ブロックの支持面上に支持されるように定められており、
前記送り面（２２）の少なくとも１つの前方の支持稜線（２３）は、前記長手軸Ｌに対して直角に延びる平面Ｅ内に配置されており、
前記端縁（１９）は、前記長手軸Ｌに沿ってかつ送り方向Ｓに見て前記平面Ｅに対して前方へ変位している、
火格子ブロックにおいて、
前記上方の壁（１４）と前記前方の壁（２０）とは、これらが互いに出合う領域内で、壁肥厚部（４０）を形成するように、前記壁肥厚部（４０）以外の前記上方の壁（１４）及び前記前方の壁（２０）よりも肥厚に形成され、かつ前記壁肥厚部（４０）は縦断面で見て湾曲して形成されており、
前記火格子ブロック（１０）は、少なくとも１つの側において、長手方向に延びる側壁（２８ａ、２８ｂ）によって閉鎖され、かつ少なくとも１つの側壁（２８ａ、２８ｂ）は摩耗マーキング（４２）を有し、該摩耗マーキングは、前記火格子ブロック（１０）の外側において、前記支持面（１６）の平面、及び／又は前記送り面（２２）の平面から離隔した輪郭（４４）を描く、
ことを特徴とする燃焼火格子用の火格子ブロック。
【請求項２】
前記少なくとも１つの空気供給開口部（３８）は、前記端縁（１９）の下方に配置され、前記長手軸Ｌに沿って、かつ送り方向Ｓに見て前記端縁（１９）に対して後方に変位している、ことを特徴とする請求項１に記載の火格子ブロック。
【請求項３】
前記端縁（１９）は、前記長手軸Ｌに沿ってかつ送り方向Ｓに見て前記平面Ｅに対して少なくとも３ｍｍ前方へ変位している、ことを特徴とする請求項１〜２の何れか一項に記載の火格子ブロック。
【請求項４】
前記端縁（１９）は、前記長手軸Ｌに沿ってかつ送り方向Ｓに見て前記平面Ｅに対して最大で１００ｍｍ前方へ変位している、ことを特徴とする請求項１〜３の何れか一項に記載の火格子ブロック。
【請求項５】
前記少なくとも１つの空気供給開口部（３８）は、縦断面で見て、前記送り面（２２）の、それぞれの空気供給開口部（３８）に直接隣接する領域に対して角度αで延び、該角度αは、９０°〜１３５°である、ことを特徴とする請求項１〜４の何れか一項に記載の火格子ブロック。
【請求項６】
前記摩耗マーキング（４２）の前記輪郭（４４）は、前記支持面（１６）の平面、及び／又は前記送り面（２２）の平面から、１５ｍｍ〜３０ｍｍ離隔している、ことを特徴とする請求項１〜５の何れか一項に記載の火格子ブロック。
【請求項７】
前記摩耗マーキング（４２）の前記輪郭（４４）は、少なくとも部分的に前記支持面（１６）の平面に対し、及び／又は前記送り面（２２）の平面に対して平行に延びている、ことを特徴とする請求項１〜６の何れか一項に記載の火格子ブロック。
【請求項８】
前記摩耗マーキング（４２）の前記輪郭（４４）は、少なくとも、前記支持面（１６）と前記送り面（２２）のそれらが互いに出合う領域に対して平行に延びている、ことを特徴とする請求項７に記載の火格子ブロック。
【請求項９】
前記摩耗マーキング（４２）が、連続的又は不連続の切り欠き又は凹み（４２１）の形態で形成されている、ことを特徴とする請求項１〜８の何れか一項に記載の火格子ブロック。
【請求項１０】
燃焼火格子のための火格子ブロック（１０）であって、
前記燃焼火格子内において、互いに連続する複数の火格子ブロックが、階段状に積み重ねて配置され、かつ、前記火格子ブロック同士間の相対移動によって燃焼物が燃焼の間に層を入れ替えられるとともに移送されるように形成されており、
前記火格子ブロック（１０）は鋳造部品として形成されたブロックボディ（１２）を有し、該ブロックボディは上方の壁（１４）を有し、該上方の壁は前記ブロックボディの長手軸Ｌに対して少なくとも部分的に平行に延びる支持面（１６）を形成し、該支持面に沿って前記燃焼物が移送され、かつその送り方向Ｓに見て一番前の端部は端縁（１９）を形成し、該端縁を介して前記支持面（１６）は、前方の壁（２０）によって形成される送り面（２２）内へ下降しており、かつ前記火格子ブロック（１０）の側方が、それぞれ長手方向に延びる側壁（２８ａ、２８ｂ）によって閉鎖されている、火格子ブロックにおいて、
少なくとも１つの側壁（２８ａ、２８ｂ）は摩耗マーキング（４２）を有し、該摩耗マーキングは、前記火格子ブロック（１０）の外側において、前記支持面（１６）の平面、及び／又は前記送り面（２２）の平面から離隔した輪郭（４４）を描く、ことを特徴とする燃焼火格子用の火格子ブロック。
【請求項１１】
請求項１〜１０の何れか一項に記載の少なくとも１つの火格子ブロック（１０）を有する燃焼火格子。
【請求項１２】
請求項１１に記載の燃焼火格子を用いて塵芥を燃焼させる方法。
【請求項１３】
請求項１１に記載の燃焼火格子を有する塵芥燃焼設備。
【発明の詳細な説明】
【技術分野】
【０００１】
本発明は、請求項１の前文に記載された燃焼火格子用の火格子ブロックに関する。本発明は、さらに、少なくとも１つのこの種の火格子ブロックを有する、燃焼火格子に関する。本発明は、さらに、塵芥を燃焼させるための燃焼火格子の使用及びこの種の燃焼火格子を有する塵芥燃焼設備に関する。
【背景技術】
【０００２】
塵芥を工業用に燃焼させるための燃焼火格子は、当業者にはずっと以前から知られている。この種の燃焼火格子は、たとえば、燃焼火格子をプッシングする形態で存在することができ、それは、火掻き移送行程を実施するのに適した可動の部分を含んでいる。その場合に、燃焼物は、燃焼火格子の入口側の端部からその出口側の端部へ移送されて、その間に燃焼される。燃焼火格子に、燃焼に必要な酸素を供給するために、燃焼火格子を通って案内される適切な空気供給部が設けられており、それを介していわゆる一次空気が導入される。
【０００３】
多く使用される火格子は、いわゆる階段状火格子である。これは、並べて配置された、それぞれ火格子ブロック列を形成する火格子ブロックを有している。その場合に火格子ブロック列は、階段状に重ねて配置されており、その場合にいわゆる前進火格子において、火格子ブロックの、送り方向に見て前方の端部が、移送方向に隣接する火格子ブロックの支持面上に支持され、かつしかるべき送り運動においてこの支持面上で移動される。いわゆる後退火格子において、火格子ブロックは、前進火格子に対して、燃焼物の移送方向に見て１８０°回動して配置されている。したがって後退火格子においては、送り方向に見て火格子ブロックの前方の端部は、それぞれ先行する火格子ブロックの支持面上に支持される。したがって前進火格子とは異なり、後退火格子においては、送り方向は、後退火格子の傾斜によって生じる移送方向とは逆向きである。
【０００４】
前進火格子として形成される燃焼火格子とこの種の燃焼火格子のための火格子ブロックは、たとえば特許文献１に記述されており、それは、水冷される火格子ブロックに関する。さらに、上述した種類の燃焼火格子が、たとえば特許文献２に記述されており、それは、空冷される火格子ブロックに関する。
【０００５】
具体的には、特許文献１に記述される火格子ブロックは、鋳物部品として形成されたブロックボディを有しており、そのブロックボディは、処理すべき塵芥のための支持面を形成する上方の壁と前方の壁とを有している。前方の壁の下方の領域内に脚が形成されており、その脚は、送り方向に隣接する火格子ブロックの支持面上に摺動可能に支持するように定められており、前方の壁の上方の領域内には、一次空気を投入するための開口部が配置されている。
【０００６】
火格子ブロックを介して移送される塵芥によって、この火格子ブロックは一般に、比較的高い摩耗にさらされる。その場合に摩損は、燃焼物が火格子ブロックの支持面からしかるべき排出稜線を介して後続の火格子ブロックの支持面上へ投下される、まさに支持面の一番前の端部の領域内で特に高い。これが特に、その端縁の下方に配置されている空気流出開口部の腐食ももたらし、それが、燃焼火格子上にある燃焼ベッドへのコントロールされた空気供給をネガティブに損なうことがあり得る。
【０００７】
そのほかにおいて、燃焼設備の経営者にとっては、いつ火格子ブロックがその寿命を越えたのか、又は摩損がすでにどのくらい進んでいるか、を裸眼で理解することは、しばしば容易ではない。したがって、設備の確実な駆動を保証し、しかもまだ充分に機能できる火格子ブロックの不必要な交換を回避するために、摩損の程度を裸眼で簡単に検査できることが、望まれる。
【先行技術文献】
【特許文献】
【０００８】
【特許文献１】欧州特許第１１９１２８２号明細書
【特許文献２】欧州特許第２１８４５４０号明細書
【発明の概要】
【発明が解決しようとする課題】
【０００９】
したがって第１の態様によれば、本発明に基づいて解決すべき課題は、長い寿命を提供し、特に、空気供給開口部を有する壁部分の腐食が最小限に抑えられる、冒頭で挙げた火格子ブロックを提供することにある。
【００１０】
第２の態様によれば、本発明に基づいて解決すべき課題は、摩損の程度の簡単な検査を許す、冒頭で挙げた火格子ブロックを提供することにある。
【課題を解決するための手段】
【００１１】
上で説明した第１の態様における課題は、独立した請求項１に定義された火格子ブロックによって解決され、上述した第２の態様における課題は、独立した請求項１０に定義された火格子ブロックによって解決される。本発明に係る火格子ブロックの好ましい実施形態が、それぞれの独立した請求項に従属する請求項に記載されている。
【００１２】
したがって請求項１によれば、本発明は、燃焼火格子用の火格子ブロックに関するものであって、その燃焼火格子内には互いに連続する火格子ブロックが階段状に重ねて配置されており、かつ、互いに対して実施される送り運動によって燃焼物が燃焼の間に層を入れ替えられ、かつ移送されるように、形成されている。この種の燃焼火格子は、冒頭で述べたように、階段状火格子とも称される。
【００１３】
本発明に係る火格子ブロックは、鋳造部品として形成されたブロックボディを有している。通常、ブロックボディは実質的に、長手軸Ｌを有する細長い直方体の形状で形成されている。
【００１４】
ブロックボディは、上方の壁を有しており、その上方の壁は、ブロックボディの長手軸Ｌに対して少なくとも部分的に平行に延びる支持面を形成し、その支持面にそって燃焼物が移送され、かつその支持面の移送方向Ｓに見て一番前の端部が端縁を形成し、その端縁を介して支持面が、前方の壁によって形成される送り面内へ下降している。
【００１５】
前方の壁は、縦断面で見て送り面に対して直角又は斜めに延びる、燃焼火格子上に空気を供給するための少なくとも１つの空気供給開口部を有しており、かつその一番下の領域内で脚の形態で形成されており、その脚は、送り方向に隣接する火格子ブロックの支持面上に支持されるように、形成されている。
【００１６】
したがって、本発明に係る火格子ブロックが前進火格子用に形成されている、好ましい実施形態において、脚は、燃焼物の移送方向において後続の火格子ブロック又はその支持面上に支持される。しかしまた、本発明に係る火格子ブロックが後退火格子用に定められていることも、考えられる。この場合において、脚は、燃焼物の移送方向に先行する火格子ブロック又はその支持面上に支持される。
【００１７】
送り面の少なくとも前方の支持稜線が、長手軸Ｌに対して実質的に直角に延びる平面Ｅ内に配置されている。これに関しては、前方の壁の一番下の領域内に配置される平面（その下方の端部が前方の支持稜線によって形成される）が、平面Ｅ内に配置されていることが考えられ、それに対して単に、前方の支持稜線によって記述されるラインが平面Ｅ内に配置されることも、考えられる。
【００１８】
本発明によれば、端縁が長手軸Ｌに沿って、かつ送り方向Ｓに見て平面Ｅに関して前方へ変位している。それによって、送り面の少なくとも一部が燃焼物による減少された腐食にさらされること、及び特に空気がより容易に１つ又は複数の空気供給開口部を通って流出できることを、保証することができる。したがって最終的に、既知の火格子ブロックに比較して、本発明によれば、送り面に作用する摩耗性の力及びそれに伴って火格子ブロックの摩損に基づく摩耗を全体として最小限に抑えることができる。
【００１９】
特許文献１に記載の火格子ブロックにおけるように、本発明に係る火格子ブロックにおいても、少なくとも１つの空気供給開口部が端縁の下方に配置されており、その端縁を介して支持面が送り面内へ下降している。
【００２０】
本発明の特に好ましい実施形態によれば、もちろんそれは、長手方向Ｌに沿って、かつ送り方向Ｓに見て端縁に関して後方へ変位している。言葉を換えると、送り面の、少なくとも１つの空気供給開口部が配置されている領域は、長手軸Ｌに沿って、かつ送り方向Ｓに見て端縁に関して後方へ変位した平面内に配置されている。これは、端縁が送り面と同一の平面内に配置されている、特許文献１に対する明らかな違いである。
【００２１】
他の好ましい実施形態によれば、上方の壁と前方の壁は、それらが互いに出合う領域内で肥厚して形成されており、その場合に壁肥厚部は縦断面で見て湾曲して形成されており、すなわち隆起部の形態で存在する。火格子ブロックの、特に著しい摩耗にさらされる領域内の壁肥厚部によって、火格子ブロックの寿命の向上を達成することができる。というのは、ずっと激しい摩損を許容することができるからである。
【００２２】
具体的には、端縁は、長手軸Ｌに沿って、かつ送り方向Ｓに見て平面Ｅに関して少なくとも３ｍｍ、好ましくは少なくとも５ｍｍ、そしてもっとも好ましくは少なくとも１０ｍｍだけ前方へ変位している。
【００２３】
好ましくはさらに、端縁は長手軸Ｌに沿って、かつ送り方向Ｓに見て平面Ｅに関して最大で１００ｍｍ、好ましくは最大で５０ｍｍ、そしてもっとも好ましくは最大で３０ｍｍ前方へ変位している。
【００２４】
したがって端縁が平面Ｅに関して前方へ変位される距離は、好ましくは３ｍｍ〜１００ｍｍの領域内、特に好ましくは５ｍｍ〜５０ｍｍの領域内、そしてもっとも好ましくは１０ｍｍ〜３０ｍｍの領域内にある。したがって長い寿命及び特に空気供給開口部を有する壁部分の腐食の減少を保証することができ、特許文献１に示すような、定着した火格子ブロックの基本形状から著しく異なる必要はない。
【００２５】
他の好ましい実施形態によれば、少なくとも１つの空気供給開口部は、縦断面で見て送り面の、それぞれの空気供給開口部に直接隣接する領域に対して角度αで延びており、その場合にαは、９０°〜１３５°の、好ましくは９５°〜１２５°の、特に好ましくは１００°〜１２０°の、そしてもっとも好ましくは１０５°〜１１５°の領域内にある。それによって燃焼火格子への、又は燃焼火格子上の燃焼ベッドへの、最適な一次空気供給が得られ、それが、燃焼物の極めて高い焼却に寄与する。その場合に空気供給開口部の、角度αを定めるために重要な領域は、前方の壁からそれぞれの空気供給開口部が開口する直前の領域である。送り面の、それぞれの空気供給開口部に直接隣接する領域が湾曲して形成されている場合には、角度αを定めるために、この領域内に生じる接線が重要である。
【００２６】
通常、火格子ブロックの側方は、それぞれ長手方向に延びる側壁によって閉鎖されている。その場合に特に好ましい実施形態によれば、少なくとも１つの側壁が摩耗マーキングを有しており、その摩耗マーキングは支持面の平面から、及び／又は送り面の平面から離隔した輪郭を描く。
【００２７】
後で詳細に説明するように、摩耗マーキングは、摩損の程度を目で極めて容易に定めることを許す。したがって一方で、摩耗した火格子ブロックを正しい時期に認識することを保証することができ、それが、燃焼火格子のより確実な駆動に寄与する。他方では、火格子ブロックを実際にその寿命の最後まで利用することが可能となる。したがってそれ自体まだ機能し得る火格子ブロックの交換が阻止される。
【００２８】
さらに、摩耗マーキングの輪郭と火格子ブロックの外側輪郭との間の最初の間隔がわかっていることによって、変化しない駆動において、いつ火格子ブロックが摩耗するか、を比較的確実に予測することができる。
【００２９】
好ましくは摩耗マーキングの輪郭は、支持面の平面から、及び／又は送り面の平面から、１５ｍｍ〜３０ｍｍ、もっとも好ましくは２０ｍｍ〜２５ｍｍだけ離隔している。この間隔は、その時まで火格子ブロックがまだ完全に機能し得る、最大許容される摩損に相当する。
【００３０】
好ましくはさらに、摩耗マーキングの輪郭は、支持面の、及び／又は送り面の平面に対して少なくとも領域的に平行に延びている。これが、火格子ブロックの個々の箇所における摩損の程度の特に簡単な検査を許す。
【００３１】
特に好ましくは、摩耗マーキングの輪郭は少なくとも、支持面及び送り面の、それらが互いに出合う領域に対して平行に延びている。これは、火格子ブロックがまさにその領域内で特に高い摩耗にさらされており、したがって摩損程度の検査がこの領域内で特に重要だからである。
【００３２】
好ましくはさらに、摩耗マーキングは切り欠き又は凹みの形状で形成されている。その場合に切り欠き又は凹みは、つながっていても、中断して形成することもできる。この実施形態によれば、排出稜線の領域内の好ましい壁肥厚部のために必要とされる、付加的な材料は、切り欠き又は凹みによって可能となる材料節約によって少なくとも部分的に補償され、あるいは補償しても余る。切り欠き又は凹みは、側壁に、したがって火格子ブロックの比較的負荷を受けることが少ない領域内に形成されているので、この材料節約が火格子ブロックの安定性又は寿命を犠牲にすることはない。
【００３３】
付加的に、火格子ブロックの支持面上に、他の摩耗マーキングとして機能する、隆起部又はプロフィールを設けることが、考えられる。すなわち摩損は、隆起部又はプロフィールの腐食を介して極めて容易に定めることができる。特にこの他の摩耗マーキングに、少なくとも一時的に見ることのできる、火格子ブロックについてのデータを設けることができる。すなわち、この他の摩耗マーキングに、たとえば製造地の記載又は火格子ブロックメーカーの「スタンプ」を設けることができる。
【００３４】
すでに述べたように、本発明は、上述した火格子ブロックの他に、そのほか、独立請求項１０に記載の火格子ブロックに関する。
【００３５】
したがってそれによれば、本発明は、上述した種類の燃焼火格子のための火格子ブロックに関するものであり、それは、鋳造部品として形成されたブロックボディを有し、そのブロックボディが上方の壁を有し、その壁が、ブロックボディの長手軸Ｌに対して平行に延びる支持面を形成し、その支持面に沿って燃焼物が移送され、かつその、送り方向Ｓに見て一番前の端部が燃焼物用の端縁を形成し、その端縁を介して支持面が、前方の壁によって形成される送り面内へ下降している。
【００３６】
この火格子ブロックは、少なくとも１つの側において、長手方向に延びる側壁によって閉鎖されている。火格子ブロックは、本発明によれば、少なくとも１つの側壁が摩耗マーキングを有し、その摩耗マーキングが、支持面の平面から、及び／又は送り面の平面から離隔した輪郭を描くことを、特徴としている。
【００３７】
説明したように、摩耗マーキングの存在によって、摩損の程度を極めて容易に目で検出することができる。すなわち火格子ブロックは、通常、火格子ブロックの外側輪郭が摩耗マーキングの輪郭と少なくとも部分的に一致した場合、あるいは摩耗マーキングの輪郭がもはや見えなくなった場合に、その寿命の最後に達している。
【００３８】
請求項１０に記載の火格子ブロックは、付加的に、特に請求項１の特徴を有することができ、すなわち特に長手軸Ｌに沿って、かつ送り方向Ｓに見て平面Ｅに関して前方に変位された端縁を有することができる。そのほかにおいて、請求項１に記載の火格子ブロックについて開示された好ましい特徴は、請求項１０に記載の火格子ブロックについても効果的である。
【００３９】
他の態様によれば、本発明は、さらに、上述した少なくとも１つの火格子ブロックを有する、燃焼火格子に関する。
【００４０】
さらに、本発明は、塵芥を燃焼させるために上述した燃焼火格子を使用すること、及びこの種の燃焼火格子を有する、塵芥燃焼設備に関する。
【００４１】
添付の図面を用いて、本発明を説明する。
【図面の簡単な説明】
【００４２】
【図１】従来技術に基づく火格子ブロックを示す側面図である。
【図２】図１に示す従来技術の火格子ブロックを上から見た上面図である。
【図３】図１と２に示す従来技術の火格子ブロックを、切断平面Ａ−Ａで示す縦断面図である。
【図４】本発明の第１の視点に基づく火格子ブロックを示す側面図である。
【図５】図４の火格子ブロックを上から見た上面図である。
【図６】図４と５に示す火格子ブロックを切断平面Ａ−Ａで示す縦断面図である。
【図７】本発明の第２の視点に基づく火格子ブロックを示す側面図である。
【図８】図７の火格子ブロックを上から見た上面図である。
【発明を実施するための形態】
【００４３】
図１〜３と比較して、図４〜６から明らかなように、本発明に係る火格子ブロック１０は、既知の火格子ブロックと共通に、鋳造部品として形成されたブロックボディ１２を有しており、そのブロックボディは実質的に長手軸Ｌを有する細長い直方体１２１の形状で形成されている。
【００４４】
ブロックボディ１２は、上方の壁１４を有しており、その上方の壁は長手軸Ｌに対して平行に延びる支持面１６を形成し、その支持面に沿って燃焼物が移送され、かつその支持面の送り方向Ｓに見て一番前の端部が端縁１９を形成し、その端縁を介して支持面１６が、前方の壁２０によって形成される送り面２２内へ下降する。図示される実施形態において、支持面は第１の支持面領域１６ａと第２の支持面領域１６ｂを有しており、それら両者は長手軸Ｌに対して平行に延びているが、第１の支持面領域１６ａは第２の支持面領域１６ｂに対して上方へ変位して配置されており、かつ面取りされた移行部１７を介してそれと結合されている。
【００４５】
そのほかにおいて、図１〜３に示す従来技術の実施形態においては、支持面の、端縁の直前に位置する領域は、面取り２１の形態で形成されている。
【００４６】
ブロックボディ１２は、前方の壁２０とは逆の側に後方の壁２４を有しており、その後方の壁には少なくとも１つのフック２６が形成されており、そのフックによって火格子ブロック１０は、ブロック保持パイプ内に懸架することができる。火格子ブロック１０の、支持面とは逆の下側に、さらに、中央ウェブ２９が配置されている。
【００４７】
火格子ブロック１０の側方は、それぞれ、長手方向に延びる側壁２８ａ、２８ｂによって閉鎖されている。
【００４８】
燃焼火格子の内部において、火格子ブロック１０は、送り方向Ｓにおいて後続の火格子ブロック上に支持される。そのために前方の壁２０の下方の領域３２は、脚３４の形態で形成されており、その脚は、送り方向Ｓに隣接する火格子ブロックの支持面上に支持するように定められている。一番下の領域は、それによって形成される、送り面の前方の支持稜線を含めて、長手軸Ｌに対して実質的に直角に延びる平面Ｅ内に配置されている。
【００４９】
図３及び６に示すように、既知の火格子ブロック内及び具体的に示される、本発明に係る火格子ブロック内で、前方の壁２０の上方の、すなわち端縁１９へ向いた領域３６内に、燃焼火格子へ空気を供給するために、壁を通り抜ける２つの空気供給開口部３８が形成されており、その場合に図では、これらの空気供給開口部の１つのみが示されている。
【００５０】
従来技術の火格子ブロックとは異なり、本発明に係る火格子ブロック１０内の、上方の壁１４と前方の壁２０が互いに出合う領域内で、これらは厚く形成されている。具体的には、壁肥厚部４０は、縦断面で見て湾曲して形成されている。
【００５１】
したがって壁肥厚部４０によって形成される端縁１９は、長手軸Ｌに沿って、かつ送り方向Ｓに見て平面Ｅに関して前方へ変位しており、その場合に図示される実施形態において、端縁１９と平面Ｅの間の間隔Ｄは、約２５ｍｍである。
【００５２】
さらに、空気供給開口部は長手軸Ｌに沿って、かつ送り方向Ｓに見て端縁に関して、具体的に示される実施形態においては、約８ｍｍの間隔ｄだけ、後方へ変位している。
【００５３】
図６に示す、本発明に係る火格子ブロック内で、空気供給開口部３８は、縦断面で見て、送り面２２のそれぞれの空気供給開口部に直接隣接する領域に対して約９０°の角度αで、延びている。
【００５４】
図７と８に示す、本発明の第２の視点の火格子ブロックによれば、側壁２８ａは、凹み４２１の形態の摩耗マーキング４２を有しており、その摩耗マーキングは、支持面１６の、特に第２の支持面領域１６ｂと面取り２１の平面から、そして送り面２２の平面から離隔した輪郭４４を描く。その場合に摩耗マーキング４２又は輪郭４４は、第２の支持面領域１６ｂに対し、支持面１６の面取り２１に対し、かつ送り面２２に対して実質的に平行に延びている。したがって輪郭４４は、第１の領域４４ａにおいては第２の支持面領域１６ｂの平面に対して平行に、第２の領域４４ｂにおいては面取り２１に対して平行に、そして第３の領域４４ｃにおいては送り面２２に対して平行に延びている。
【００５５】
具体的には、摩耗マーキングは、図示される実施形態において、送り面２２の平面Ｅから約２０ｍｍの間隔γだけ離隔している。
【００５６】
駆動において、火格子ブロック１０はブロック保持パイプによって互いに対して移動される。それぞれブロック保持パイプが固定の火格子ブロックに対応づけられているか、可動のそれに対応づけられているかに応じて、ブロック保持パイプは場所固定のコンソールに固定されるか、あるいは移動可能な火格子キャリッジに配置されたコンソールに固定される。駆動は流体圧シリンダによって行われ、その流体圧シリンダはローラを介して火格子キャリッジをしかるべき走行面上で前進させ、かつ後退させる。
【００５７】
それによって得られる相対移動によって、第１の火格子ブロック１０の脚３４がそれぞれ後続の火格子ブロック１０の支持面１６を介して前進及び後退移動し、その場合に燃焼物は、端縁１９を越えて後続の火格子ブロック１０の支持面１６上へ投げ落とされる前に、支持面１６を介して移送される。
【００５８】
説明したように端縁１９が平面Ｅに関して前方へ変位することにより、送り面２１の少なくとも一部は、燃焼物による腐食にさらされることが減少し、かつ特に空気が空気供給開口部３８を通してより容易に流出できる。そのほかにおいて、火格子ブロック１０の、特に激しい摩耗にさらされる領域内の壁肥厚部４０によって、ずっと激しい摩損を許容することができ、それによって最終的に火格子ブロックの寿命の向上が達成される。
【００５９】
摩損の程度は、図７と８に示される実施形態の摩耗マーキングにより、きわめて容易に目で確認することによって決定される。摩損が、火格子ブロック１０の外側輪郭が、側面図において摩耗マーキング４２の輪郭４４と少なくとも部分的に一致し、あるいは摩耗マーキング４２の輪郭４４がもはや見えなくなるような程度に達した場合には、火格子ブロック１０は摩耗しており、交換しなければならない。
【００６０】
摩耗マーキング４２の輪郭４４と火格子ブロック１０の外側輪郭との間の最初の間隔がわかっていることによって、さらに、変化しない駆動においていつ火格子ブロックが摩耗するか、を比較的確実に予測することができる。
［構成１］
燃焼火格子用の火格子ブロック（１０）であって、
前記燃焼火格子内で互いに連続する火格子ブロックは、階段状に積み重ねて配置され、かつ、互いに対して実施される送り運動によって燃焼物が燃焼の間に層を入れ替えられ、かつ移送されるように、形成されており、
前記火格子ブロック（１０）は鋳造部品として形成されたブロックボディ（１２）を有し、該ブロックボディは上方の壁（１４）を有し、該上方の壁は前記ブロックボディの長手軸（Ｌ）に対して少なくとも部分的に平行に延びる支持面（１６）を形成し、該支持面に沿って前記燃焼物が移送され、かつその送り方向Ｓに見て一番前の端部は端縁（１９）を形成し、該端縁を介して前記支持面（１６）は前方の壁（２０）によって形成される送り面（２２）内へ下降しており、
前記前方の壁（２０）は、縦断面で見て前記送り面（２２）に対して直角又は斜めに延びる前記燃焼火格子上へ空気を供給するための、少なくとも１つの空気供給開口部（３８）を有し、前記前方の壁（２０）の一番下の領域（３２）内で脚（３４）の形状に形成され、該脚は送り方向Ｓに隣接する前記火格子ブロックの支持面上に支持されるように定められており、
前記送り面（２２）の少なくとも１つの前方の支持稜線（２３）は、前記長手軸Ｌに対して実質的に直角に延びる平面Ｅ内に配置されている、火格子ブロックにおいて、
前記端縁（１９）は、前記長手軸Ｌに沿って、かつ送り方向Ｓに見て前記平面Ｅに関して前方へ変位している、ことを特徴とする燃焼火格子用の火格子ブロック。
［構成２］
前記少なくとも１つの空気供給開口部（３８）は、前記端縁（１９）の下方に配置され、前記長手軸Ｌに沿って、かつ送り方向Ｓに見て前記端縁（１９）に関して後方に変位している、ことを特徴とする構成１に記載の火格子ブロック。
［構成３］
前記上方の壁（１４）と前記前方の壁（２０）とは、互いに出合う領域内で肥厚に形成され、かつ壁肥厚部（４０）は縦断面で見て湾曲して形成されている、ことを特徴とする構成１又は２に記載の火格子ブロック。
［構成４］
前記端縁（１９）は、前記長手軸Ｌに沿って、かつ送り方向Ｓに見て前記平面Ｅに関して少なくとも３ｍｍ、好ましくは少なくとも５ｍｍ、そしてもっとも好ましくは少なくとも１０ｍｍ前方へ変位している、ことを特徴とする構成１〜３の何れか一項に記載の火格子ブロック。
［構成５］
前記端縁（１）は、長手軸Ｌに沿って、かつ送り方向Ｓに見て前記平面Ｅに関して最大で１００ｍｍ、好ましくは最大で５０ｍｍ、そしてもっとも好ましくは最大で３０ｍｍ前方へ変位している、ことを特徴とする構成１〜４の何れか一項に記載の火格子ブロック。
［構成６］
前記少なくとも１つの空気供給開口部（３８）は、縦断面で見て、前記送り面（２２）の、それぞれの空気供給開口部（３８）に直接隣接する領域に対して角度αで延び、該角度αは、９０°〜１３５°、好ましくは９５°〜１２５°、特に好ましくは１００°〜１２０°、そしてもっとも好ましくは１０５°〜１１５°である、ことを特徴とする構成１〜５の何れか一項に記載の火格子ブロック。
［構成７］
前記火格子ブロック（１０）は、少なくとも１つの側において、長手方向に延びる側壁（２８ａ、２８ｂ）によって閉鎖され、かつ少なくとも１つの側壁（２８ａ、２８ｂ）は摩耗マーキング（４２）を有し、該摩耗マーキングは、前記支持面（１６）の平面、及び／又は前記送り面（２２）の平面から離隔した輪郭（４４）を描く、ことを特徴とする構成１〜６の何れか一項に記載の火格子ブロック。
［構成８］
前記摩耗マーキング（４２）の前記輪郭（４４）は、前記支持面（１６）の平面、及び／又は前記送り面（２２）の平面から、１５ｍｍ〜３０ｍｍ、もっとも好ましくは２０ｍｍ〜２５ｍｍ離隔している、ことを特徴とする構成７に記載の火格子ブロック。
［構成９］
前記摩耗マーキング（４２）の前記輪郭（４４）は、少なくとも部分的に前記支持面（１６）の平面に対し、及び／又は前記送り面（２２）の平面に対して平行に延びている、ことを特徴とする構成７又は８に記載の火格子ブロック。
［構成１０］
前記摩耗マーキング（４２）の前記輪郭（４４）は、少なくとも、前記支持面（１６）と前記送り面（２２）のそれらが互いに出合う領域に対して平行に延びている、ことを特徴とする構成９に記載の火格子ブロック。
［構成１１］
前記摩耗マーキング（４２）が、つながった切り欠き、中断された切り欠き又は凹み（４２１）の形態で形成されている、ことを特徴とする構成７〜１０の何れか一項に記載の火格子ブロック。
［構成１２］
燃焼火格子のための火格子ブロック（１０）であって、
前記燃焼火格子内に互いに連続する火格子ブロックは、階段状に積み重ねて配置され、かつ、互いに対して実施される送り運動によって燃焼物が燃焼の間に層を入れ替えられ、かつ移送されるように、形成され、
前記火格子ブロック（１０）は鋳造部品として形成されたブロックボディ（１２）を有し、該ブロックボディは上方の壁（１４）を有し、該上方の壁は少なくとも部分的に、前記ブロックボディの長手軸Ｌに対して平行に延びる支持面（１６）を形成し、該支持面に沿って燃焼物が移送され、かつその送り方向Ｓに見て一番前の端部が端縁（１９）を形成し、該端縁を介して前記支持面（１６）は、前方の壁（２０）によって形成される送り面（２２）内へ下降し、かつ前記火格子ブロック（１０）の側方が、それぞれ長手方向に延びる側壁（２８ａ、２８ｂ）によって閉鎖されている、火格子ブロックにおいて、
少なくとも１つの側壁（２８ａ、２８ｂ）は摩耗マーキング（４２）を有し、該摩耗マーキングは前記支持面（１６）の平面、及び／又は前記送り面（２２）の平面から離隔した輪郭（４４）を描く、ことを特徴とする燃焼火格子用の火格子ブロック。
［構成１３］
構成１〜１２の何れか一項に記載の少なくとも１つの火格子ブロック（１０）を有する燃焼火格子。
［構成１４］
塵芥を燃焼させるための、構成１３に記載の燃焼火格子の使用。
［構成１５］
構成１３に記載の燃焼火格子を有する塵芥燃焼設備。
【符号の説明】
【００６１】
１０    火格子ブロック
１２、１２１    ブロックボディ、直方体
１４    上方の壁
１６    支持面
１６ａ、ｂ    長手軸に対して平行に延びる支持面の領域
１７    面取りされた移行部
１９    端縁
２０    前方の壁
２１    面取り
２２    送り面
２３    前方の支持稜線
２４    ブロックボディの後方の壁
２６    フック
２８ａ、ｂ    側壁
２９    中央ウェブ
３０    ブロックボディ内部空間
３２    前方の壁の一番下の領域
３４    脚
３６    前方の壁の上方の領域
３８    空気供給開口部
４０    壁肥厚部
４２、４２１    摩耗マーキング、凹み
４４、４４ａ−ｃ    輪郭、輪郭の様々な領域
Ｌ    長手軸
Ｓ    送り方向
ｄ    空気供給開口部が長手軸Ｌに沿って、かつ送り方向Ｓに見て端縁に関して後退している間隔
Ｅ    前方の支持稜線が配置されている平面
Ｄ    長手軸Ｌに沿って、かつ送り方向Ｓに見て平面Ｅに関して前方へ変位している間隔
α    空気供給開口部が縦断面において見て送り面に対して延びる角度
γ    摩耗マーキングが送り面の平面から離隔している間隔
【図１】
0006734302.tif 000002
【図２】
0006734302.tif 000003
【図３】
0006734302.tif 000004
【図４】
0006734302.tif 000005
【図５】
0006734302.tif 000006
【図６】
0006734302.tif 000007
【図７】
0006734302.tif 000008
【図８】
0006734302.tif 000009